Podtech/llm-jp-corpus-v4-ja_patent huggingface dataset:
(57)【要約】【課題】本発明は印刷（コピー）用紙自体に折り畳み用のミシン目を入れ、ファイルされることを前提に綴じ穴を設けることで、印刷、複写時のペーパーレス化を図るとともに、書類等、印刷、複写物の収納に関わる様々な問題点を解消するものである。【解決手段】本発明は両面印刷（コピー）可能な用紙自体にファイルの機能を持たせている。そのため、長方形の用紙を横長で使用したときには外部綴じ穴１ａ、１ｂを設け、更に折り曲げた状態でも余分な膨らみが生じないように折り目にミシン目3を施し、そのとき折り目となるミシン目側に内部綴じ穴２ａ、２ｂを設けることで外部、内部のどちらからもファイル可能とした。また、目的用途に応じて折り目のミシン目３から切り取りが可能になることにより上述の問題を解決している。綴じ穴の外部と内部の名称の違いは用紙を開いた状態で見たときの位置によるものである。【選択図】  図１
2007301969.tif 000002
【特許請求の範囲】
【請求項１】
両面印刷（コピー）可能な用紙を半分のサイズに折り曲げ、その折り目にミシン目を入れて分割可能とすると共に、ファイルされることを前提に予め綴じ穴を設けたプリント用紙。
【発明の詳細な説明】
【技術分野】
【０００１】
本発明はファイル形状に折り曲げた用紙の折り目にミシン目を入れ、ファイルされることを前提に予め綴じ穴を設けた分割可能な印刷（コピー）用紙に関するものである。
【背景技術】
【０００２】
日本標準規格(Ａ列、Ｂ列)の用紙のＡ３サイズやＢ４サイズのような大型の用紙を両面コピーした後など、整理の際、そのままの広げた状態でファイルして整理するには場所を取り、折り畳んでファイルしたときなど膨らみを生じていた。またファイルする為には綴じ穴を開けなければならなかった。
【発明の開示】
【発明が解決しようとする課題】
【０００３】
大型のファイルを用いて棚に整理するにはスペースを要し、半分に折り畳んでファイルするにも折り目に厚みが生じて多くの枚数をファイルできなかった。また、ファイルするには綴じ穴を開ける手間があった。現在パンチ穴を開ける機能を持つコピー機もあるが、新たにそれを購入するには莫大な費用がかかることになる。従って、用紙自体に綴じ穴を設けて、半分に折り畳んだ際も折り目に余分な厚みができないように、容易に破れない程度にミシン目を入れることでコンパクトに収納を可能にし、前述の欠点を解決しようとするものである。
【課題を解決するための手段】
【０００４】
本発明は両面印刷（コピー）可能な用紙自体にファイルの機能を持たせている。ファイルする際のパンチ穴を開ける手間をなくすために綴じ穴を予め設け、畳んだ状態で収納しても余分な膨らみが生じないように折り目にミシン目を施すことで問題を解決している。
【発明の効果】
【０００５】
上述のように、印刷（コピー）用紙自体に綴じ穴を設けてファイル機能を持たせているので、収納の際に生じる手間が省け、折り目に入ったミシン目によって折り畳んだ状態でも厚みがなく収納に余分なスペースを取らなくて済む。また、ミシン目から切り取ることもできるのでその用途は一つに限らない。特にオフィスでの効果を考えると、コピー用紙の節約と、デスクでの書類整理をスムースに行い無駄な労力と時間を軽減し、ペーパーレス化にも役立つ。家庭用のプリンタで印刷するときも折り目に厚みがない為、用紙及びシートが巻き込まれることもない。
【発明を実施するための最良の形態】
【０００６】
長方形の印刷（コピー）用紙を横長の状態で広げて見た場合、左右の端を重ね合わせるように折り畳むと用紙の中央に折り目が走る。その折り目となる箇所に容易に破れない程度にミシン目を施す。更に折り畳んでできた縦長のファイル形状のものの左右の余白部に綴じ穴を設ける。
【実施例】
【０００７】
以下、添付図面に従って一実施例を日本標準規格のＡ３サイズ用紙を用いて説明する。Ａ３サイズ用紙を横長に使用して縦長のＡ４サイズに折り畳み、１ａ、１ｂの外部綴じ穴を折り目とは逆側の余白部に設け、折り目側の余白部に２ａ、２ｂの内部綴じ穴を設ける。綴じ穴の外部と内部の名称の違いは用紙を開いた状態で見たときの位置によるものである。次に折り目となる箇所に３のミシン目を施す。
【産業上の利用可能性】
【０００８】
本発明の一実施例は上述の如き構成からなるものであり、両面印刷（コピー）用紙として使用されることは勿論のこと、印刷後折り畳んで速やかにファイルに整理することも可能である。また目的用途に応じて分離可能であるため、特にオフィスにおける用紙の取り扱いに関して、整理の際の手間を省くことができる。
【図面の簡単な説明】
【０００９】
【図１】本発明の両面プリント分割ファイル用紙の正面図である。
【図２】綴じ穴によりファイルされた図である。
【図３】ミシン目による切り取り図である。
【符号の説明】
【００１０】
１ａ  外部綴じ穴
１ｂ  外部綴じ穴
２ａ  内部綴じ穴
２ｂ  内部綴じ穴
３    ミシン目
【図１】
2007301969.tif 000003
【図２】
2007301969.tif 000004
【図３】
2007301969.tif 000005
(57)【要約】【課題】  軽薄短小サイズでありながら、最も楽な本の持ち方を実現する。【解決手段】  本のページを開いておける書物頁押具に、指にはめるリングと落下防止用の紐をつける。【選択図】図２
2007301967.tif 000002
【特許請求の範囲】
【請求項１】
両端部に結目を設けた紐と、小リングを内蔵させた大リングを止め具で接合させた書物頁押具の付随部品。
【発明の詳細な説明】
【技術分野】
【０００１】  この発明は、最も楽な本の持ち方を実現する、書物頁押具の付随部品に関する。
【背景技術】
【０００２】  書物頁押具の中に、手に持って本を読むために便利な軽量小型のものがある。
【特許文献１】  実全昭６３−１９１０５６号
【特許文献２】  実全平０４−００２６７７号
【特許文献３】  実開平０５−０７４８６７号
【特許文献４】  特開平１０−０３５１４４号
【特許文献５】  特開平１１−２２７３６２号
【発明の開示】
【発明が解決しようとする課題】
【０００３】  しかしながら、手に持って本を読んでいる時に、書物頁押具が外れてしまえば、本はそのまま落下してしまう。また、本を開いておく力はいらなくとも、本の重さと本をつかんでおく力は指先に集中して掛かっており、まだ、疲れにくく、バランスがよい持ち方とはなっていない。
【課題を解決するための手段】
【０００４】  この発明は、両端部に結目を設けた紐と小リングを内蔵させた大リングを止め具で接合させた、書物頁押具の付随部品を提供することで上記課題を解決する。
【発明の効果】
【０００５】  この発明は、本を指先に固定させることで、指先の力を必要としない楽な本の持ち方を実現し、携帯する最も軽薄短小なサイズにまで絞り込むことができる。
【発明を実施するための最良の形態】
【０００６】  この発明は、図１に示されるように、小リング１を内蔵させた大リング２と両端部に結目４を設けた紐３を止め具５で接合させたもので、図２に示されるように書物頁押具５の中央に付随させる。
【実施例】
【０００７】  図３に示されるように、隣り合った指の一方を小リング１に入れ、もう一方の指を小リング１と大リング２との三日月型の空間に挿入する。
すると書物頁押具６を装着した本７は、ピッタリと指に固定される。この空間の三日月型は指の位置を自由に変えられる余裕を与えつつ、リングの着脱も隣接する指だけで行える利点を生む。【０００８】  また、同じく図３に示される紐３は、中指の手の平側にある止め具５より、上下二方向に伸ばして、本の天と地の両小口から、しおり紐のように本の頁間に挟み込み、渡したその先の小口に結目４が引っ掛かるように出しておく。
するとたとえ、本７が書物頁押具６より外れても、本内の紙面密着部に紐３が食い込み、その摩擦力と小口に結目４が引っ掛かることで、本７の落下を食い止めることができる。
【図面の簡単な説明】
【０００９】
【図１】  この発明の正面図である。
【図２】  この発明を書物頁押具に付随させた正面図である。
【図３】  この発明の使用状態を示す斜視図である。
【符号の説明】
【００１０】  １  小リング
２  大リング
３  紐
４  結目
５  止め具
６  書物頁押具
７  本
【図１】
2007301967.tif 000003
【図２】
2007301967.tif 000004
【図３】
2007301967.tif 000005
(57)【要約】【課題】芯タンク４が太径にできるので、芯タンク４内に収納できる芯８の本数が多くなる。また、部品点数が少なくなるので構造が簡単になるとともに組立工数も少なくなり、低コストで生産できるノック式シャープペンシルを提供する。【解決手段】連結具１に円周方向に伸びた弾性片１Ａを形成し、この連結具１が軸筒９の後方より挿入されて軸筒９の先端より突出する。この弾性片１Ａは軸筒９の前端に当接されることにより連結具１の後方への抜けを防止する。【選択図】        図１
2007301914.tif 000002
【特許請求の範囲】
【請求項１】
チャックと、チャックを開閉する締具と、チャックを後方に付勢するスプリングと、締具を受け止める連結具とからなり、チャックを前進させることにより芯を繰り出すノック式シャープペンシルにおいて、連結具に円周方向に伸びた弾性片を形成し、この連結具が軸筒の後方より挿入されて軸筒の先端より突出し、前記弾性片が軸筒の前端に当接されることにより連結具の後方への抜けを防止したことを特徴とするノック式シャープペンシル。
【請求項２】
連結具の弾性片を含む一部を口金の内段と軸筒の前端により挟持したことを特徴とする請求項１記載のノック式シャープペンシル。
【請求項３】
連結具の弾性片の一部に突部を形成したことを特徴とする請求項１又は２記載のノック式シャープペンシル。
【発明の詳細な説明】
【技術分野】
【０００１】
本発明は、軸筒の後方から挿入された連結具の弾性片が軸筒の前端に当接されて後方への抜けを防止するノック式シャープペンシルに関する。
【背景技術】
【０００２】
従来、チャックに連結された芯タンクを軸筒の前方より挿入し、ワッシャー（本発明における連結具）を口金の内段と連結具の前端（本発明における軸筒）により挟持したノック式シャープペンシルが知られている。（特許文献１参照）
【特許文献１】特開２００５−１３８２８７号公報（図１）
【発明の開示】
【発明が解決しようとする課題】
【０００３】
上記したノック式シャープペンシルは、軸筒の前端より芯タンクを挿入しなければならず芯タンクが細径になってしまうものであった。この芯タンクが細径になってしまうと芯タンク内に収納できる芯の本数が少なくなり、頻繁に芯を補充しなければならなかった。また、消しゴムを取り付けるためには、芯タンクの後部に消しゴムを取り付けるための消しゴム支えが必要となり、構造が複雑になるとともに組立工数も多くなってしまうものであった。
本発明は、上記課題を解消するノック式シャープペンシルを提供することを目的とするものである。
【課題を解決するための手段】
【０００４】
本発明は、チャックと、チャックを開閉する締具と、チャックを後方に付勢するスプリングと、締具を受け止める連結具とからなり、チャックを前進させることにより芯を繰り出すノック式シャープペンシルにおいて、連結具に円周方向に伸びた弾性片を形成し、この連結具が軸筒の後方より挿入されて軸筒の先端より突出し、前記弾性片が軸筒の前端に当接されることにより連結具の後方への抜けを防止したことを第１の要旨とする。
【０００５】
また、連結具の弾性片を含む一部を口金の内段と軸筒の前端により挟持したことを第２の要旨とする。
【０００６】
更に、連結具の一部に突部を形成したことを第３の要旨とする。
【発明の効果】
【０００７】
本発明は、軸筒の後方から挿入された連結具の弾性片が軸筒の前端に当接されて後方への抜けが防止され機構部が取り付けられる。従って、芯タンクが太径にできるので芯タンク内に収納できる芯の本数が多くなる。また、部品点数が少なくなるので構造が簡単になるとともに組立工数も少なくなり、低コストで生産できる効果が奏せられるものである。
【発明を実施するための最良の形態】
【０００８】
軸筒の後方から挿入された連結具の弾性片が軸筒の前端に当接されて後方への抜けが防止され機構部が取り付けられるノック式シャープペンシルを実現した。
【実施例１】
【０００９】
図１、図２、図３、図４及び図５により本発明の実施例１のノック式シャープペンシルを説明する。尚、図１の左側を前方とし、右側を後方とする。
【００１０】
先ず、図２、図３、図４及び図５に示した連結具１を説明すると、円筒形の連結具１の前部に円周方向に伸びた弾性片１Ａを２個形成し、この弾性片１Ａのそれぞれの先端部に外方に隆起した突部１Ｂを形成する。この連結具１の前方より頭部２Ａに締具３を外嵌したチャック２を挿入し、チャック２の後部に芯タンク４を圧入固着する。また、連結具１の内段１Ｃと芯タンク４の前端との間にスプリング５を張架し、通常はチャック２を後方に付勢して頭部２Ａが締具３に押圧され、締具３は連結具１の前端に当接される。芯タンク４の後部内側４Ａには消しゴム６が取り付けられるとともに、芯タンク４の後部外側４Ｂに消しゴム６を覆うノブ７が嵌合され、機構部が構成される。また、芯タンク４内には予備の芯８が収納される。
【００１１】
この機構部は軸筒９の後方より挿入され、連結具１の弾性片１Ａは内方に撓んで軸筒９の細径孔９Ａを通過し、通過すると元の状態に復帰して軸筒９の前端に当接可能となる。従って、連結具１の弾性片１Ａ、特に突部１Ｂが軸筒９の前端に当接することにより機構部が後方に抜けてしまうのを防止する。
【００１２】
また、口金１０内に芯ホルダー１１を内蔵する。更に、軸筒９の前部にゴム製のグリップ１２を嵌合する。
【００１３】
前記口金１０を軸筒９の前部に着脱可能に螺合し、口金１０の内段１０Ａに連結具１の前端を当接するとともに軸筒９の前端に連結具１の突部１Ｂを当接して口金１０と軸筒９により連結具１を挟持する。すると、図１に示したノック式シャープペンシルが構成される。
【００１４】
この実施例１においては、連結具１に形成された弾性片１Ａが円周方向に伸びているので、口金１０の内段１０Ａと軸筒９の前端により挟持される弾性片１Ａの寸法が長手方向に長くならず、従って口金１０が大型になってしまう恐れがない。しかし、弾性片１Ａの撓み量は十分に得られるので、確実に軸筒９の細径孔９Ａ内を通過できるものである。更に、口金１０の内段１０Ａと軸筒９の前端によって連結具１が強い力で挟持されても、連結具１は弾性片１Ａの側面で力を受けるので弾性片１Ａが折れたり破損する恐れは全くない。
【産業上の利用可能性】
【００１５】
芯タンク内に収納できる芯の本数が多くなるとともに、構造が簡単で組み立て易いノック式シャープペンシルに適用できる。
【図面の簡単な説明】
【００１６】
【図１】本発明の実施例１のノック式シャープペンシルを示す断面図である。（実施例１）
【図２】実施例１の連結具を示す拡大断面図である。（実施例１）
【図３】図２のＡ−Ａ線を示す拡大断面図である。（実施例１）
【図４】図２のＢ−Ｂ線を示す拡大断面図である。（実施例１）
【図５】実施例１の連結具を示す拡大平面図である。（実施例１）
【符号の説明】
【００１７】
１  連結具
１Ａ  連結具１の弾性片
１Ｂ  連結具１の突部
２  チャック
３  締具
５  スプリング
８  芯
９  軸筒
１０  口金
１０Ａ  口金１０の内段
【図１】
2007301914.tif 000003
【図２】
2007301914.tif 000004
【図３】
2007301914.tif 000005
【図４】
2007301914.tif 000006
【図５】
2007301914.tif 000007
(57)【要約】【課題】  接着代の全域に渡って接着剤の厚さを均一にする。これにより下部天板と基板、上部天板と下部天板の接着剤の隙間がなくなる。【解決手段】  天板形状を以下の様にする。塗布領域の天板部が周囲より追凸状とする。【選択図】  図１
2007301936.tif 000002
【特許請求の範囲】
【請求項１】
後に共通液室となる凹部を有する基体に樹脂を塗布後別の基体と接着するインクジェットヘッドにおいて少なくとも塗布領域の基体が周囲の領域より凸となっていることを特徴とするインクジェットヘッド。
【請求項２】
塗布領域の基体が周囲より凸となっている基体上に樹脂を塗布した後別の基体と接合することを特徴とするインクジェットヘッドの製造方法。
【発明の詳細な説明】
【技術分野】
【０００１】
本発明は、インクジェットヘッド及びその製造方法に関するものである。
【背景技術】
【０００２】
図４に従来のインクジェットヘッドの斜視図が示されている。このインクジェットヘッドは、図４（ａ）に示すように大面積の基板（第１の基体１）に大面積の天板（第２の基体５）を積層し、切断線１２に従って分離することで図４（ｂ）に示すような個々のヘッドを得る。（図４の例では対向ヘッド４対、８本のヘッドができる）
図４（ａ）のＡＡ断面位置における１対２ヘッドの製造工程を図５を参照しながら述べる。
【０００３】
図５（１）：
まず、アルミ基板（第１の基体１）上に液路予定部位及び液室予定部位にポジレジスト（固体層２）が２０ミクロンパターニング等により選択的に形成される。
【０００４】
図５（２）：
中央の板厚が０．９ｍｍ、端が１ｍｍで耐食処理を施したアルミ天板（第２の基体５）の中央及び両端に常温硬化性樹脂８をディスペンサで塗布する。中央部は両端より多く塗布する。
【０００５】
図５（３）：
アルミ基板と天板を接合する。
【０００６】
図５（４）：
樹脂が流れポジレジスト２を覆う。
【０００７】
図５（５）：
ダイヤモンドバイト１３によって硬化性樹脂８をポジレジスト２に至るまで切削する。
【０００８】
これにより共通液室１０を得る。
【０００９】
図５（６）：
ダイヤモンドバイト１３で対向ヘッド中央を切断し、２ヘッドに分離する。
【００１０】
図５（７）：
ポジレジスト２を除去液で除去し吐出口９を有するヘッドを得る。
【００１１】
この後図４（ｂ）にあるように蓋１５を共通液室上部に接合する。
【００１２】
従来例としては、例えば特許文献１と特許文献２と特許文献３をあげることができる。
【特許文献１】特開２００２−１９６９号公報
【特許文献２】特開２００２−２５４６６０号公報
【特許文献３】特開２００３−１１２４２７号公報
【発明の開示】
【発明が解決しようとする課題】
【００１３】
図５（２）の塗布状態を図３に示す。図３（１）が平面図、（２）がＢＢ断面図である。（３）がＣＣ断面である。天板５には図示のように硬化性樹脂８が塗布される。このとき塗布厚は図３（２）、（３）に示すように両端が薄くなる。この後切断線１２で切断すると中央は良いが両端の樹脂の注入が不十分となってしまう。
【００１４】
そこで本発明の目的は、接着代の全域にわたって、接着層となる樹脂の厚さの均一性の保てるインクジェットヘッドの製造方法を提供することにある。
【課題を解決するための手段】
【００１５】
後に共通液室となる凹部を有する基体に樹脂を塗布後別の基体と接着するインクジェットヘッドにおいて少なくとも塗布領域全長が周囲の領域より凸とする。
【発明の効果】
【００１６】
本発明によれば、接着代の全域にわたって、接着層となる樹脂の厚さの均一性の保てるインクジェットヘッドを得ることができる。
【発明を実施するための最良の形態】
【００１７】
以下、本発明の実施例を図面を参照しながら説明するが本発明はこれらに限定されるものではなく特許請求の範囲内であれば適宜変更できるものである。
【実施例１】
【００１８】
図１に示すように天板を加工する。（１）は平面図、（２）はＢＢ断面図、（３）はＣＣ断面図、（４）はＤＤ断面図である。
【００１９】
（４）からわかるように厚さ０．９ｍｍの中央部の両端をこれより薄く加工する。これにより天板加工域３が形成される。ここでは厚さ０．７ｍｍに加工した。この上に塗布された樹脂は表面張力により維持される為、（２）に示すようにヘッド端でも樹脂の厚さは維持される。
【００２０】
但し、１ｍｍの部分については（３）に示すようにヘッドの両端が薄くなる。
【実施例２】
【００２１】
図２に示すように天板を加工する。（１）は平面図、（２）はＢＢ断面図、（３）はＣＣ断面図、（４）はＤＤ断面図である。図１に加え、１ｍｍ部分の両端も薄く加工した。
【００２２】
（３）に示すようにこの部分の樹脂の均一性も生じている。
【００２３】
以上の例ではアルミ基板に接合する天板の加工例についてのべたが、天板を２層構成とした場合の上側の天板についても適用できるのは言うまでもない。
【図面の簡単な説明】
【００２４】
【図１】本発明の実施形態を示す模式図である。
【図２】本発明の実施形態を示す模式図である。
【図３】本発明の実施形態を示す模式図である。
【図４】従来技術の説明図である。
【図５】従来技術の説明図である。
【符号の説明】
【００２５】
１  第一の基体
２  第二の固体層
３  天板加工域
４  樹脂充填口
５  第二の基体
８  硬化性樹脂
９  吐出口
１０  共通液室
１２  切断線
１３  ダイヤモンドバイト
１５  蓋
【図１】
2007301936.tif 000003
【図２】
2007301936.tif 000004
【図３】
2007301936.tif 000005
【図４】
2007301936.tif 000006
【図５】
2007301936.tif 000007
(57)【要約】【課題】伸縮首温具に使い捨てカイロを収納できる使い捨てカイロホルダーを提供する。【解決手段】伸縮首温具の下部に使い捨てカイロを収納できるカイロ袋を逢着して設ける事が出来き、カイロ袋は１個から３個までとし寒さに合わせ選択できる又、面ファスナーを伸縮首温具とカイロ袋に逢着する事により１個用・２個用と使い分けができる使い捨てカイロホルダーである。【選択図】図１
2007301338.tif 000002
【特許請求の範囲】
【請求項１】
伸縮首温具（１）にカイロ袋（３）を縫着し上部にカイロ出入口（２）を設けた事を特徴とする使い捨てカイロホルダー
【請求項２】
２列カイロ袋（７）の上部にカイロ出入口（２）を、横に２列設けその裏側に内側一体カイロ袋（１０）を設け伸縮首温具（１）に逢着した事を特徴とする、請求項１の使い捨てカイロホルダー
【請求項３】
面ファスナー凹（４）を伸縮首温具（１）の下部に逢着し凸面ファスナー付き１個袋（８）の上部に面ファスナー凸（５）を二ヶ所逢着し、凸面ファスナー付き２個袋（９）に面ファスナー凸（５）を三ヶ所逢着した事を特徴とする請求項１の使い捨てカイロホルダー
【発明の詳細な説明】
【技術の分野】
【０００１】  本発明は寒冷時に使い捨てカイロを最大に利用し、体温を保持し容易にカイロを体に密着させ事が出来るカイロホルダーに関するものである。
【背景技術】
【０００２】  従来、使え捨てカイロに糊を付けて衣服に張りつける物はある。又  意匠２００６−１０４１６・意匠２００６−１０４１７を出願もしてある。
【発明の開示】
【発明が解決しようとする課題】
【０００３】  本発明は、カイロを収納出来る袋を首に掛ける事により寒冷時に体温を保持でき、厚着をしなくてよくなり身軽に過ごせる。
【課題を解決するための手段】
【０００４】  首周りに伸縮自在の保温材質に使い捨てカイロを収納出来る袋を付けカイロを出入する開口部設け、寒さの温度に因ってはカイロの数を１個２個と使い分けでき、又  面ファスナーを使用することにより１個用と２個用を付替えもできる特徴を持つ使い捨てカイロホルダーである。
【発明の効果】
【０００５】  使い捨てカイロホルダーを使用する事により首周りから体温が逃げず風邪予防・寒さ予防により寒冷時や寒冷地の生活が便利に過ごすことができる。
【発明を実施するための最良の形態】
【０００６】  以下、本発明の実施の形態について説明する。
（イ）伸縮首温具（１）の下部にカイロ袋（３）を逢着しカイロ出入口（２）を設ける。
（ロ）伸縮首温具（１）の下部に２列カイロ袋（７）に内側一体カイロ袋（１０）を中央に逢着し、それぞれのカイロ袋にカイロ出入口（２）を設ける。
（ハ）伸縮首温具（１）の下部に面ファスナー凹（４）を三ヶ所逢着し凸面ファスナー付き１個袋（８）の上部に面ファスナー凸（５）を二ヶ所に逢着しカイロ出入口（２）設ける。
（ロ）凸面ファスナー付き２個袋（９）の上部に面ファスナー凸（５）を三ヶ所に逢着しカイロ出入口（２）をそれぞれ設ける。
本発明は以上のような構成で伸縮首温具（１）にカイロ袋（３）を逢着して単品使用するものと、伸縮首温具（１）に２列カイロ袋（７）背面に内側一体カイロ袋（１０）を正面に設けカイロ出入口（２）をそれぞれ三ヶ所に設けるものと、伸縮首温具（１）の下部に面ファスナー凹（４）を三ヶ所設け凸面ファスナー付き１個袋（８）と凸面ファスナー付き２個袋（９）と二つ作り必要に応じ使い分けできる使い捨てカイロホルダー。
【図面の簡単な説明】
【０００７】
【図１】  本発明の斜視図
【図２】  本発明のＡーＡ断面図
【図３】  本発明の斜視図
【図４】  本発明のＢーＢ断面図
【図５】  本発明の正面図
【図６】  本発明の斜視図
【図７】  本発明の展開図
【図８】  本発明の展開図
【図９】  本発明の斜視図
【図１０】  本発明の斜視図
【符号の説明】
【０００８】  １  伸縮首温具
２  カイロ出入口
３  カイロ袋
４  面ファスナー凹
５  面ファスナー凸
６  使い捨てカイロ
７  ２列カイロ袋
８  凸面ファスナー付き１個袋
９  凸面ファスナー付き２個袋
１０  内側一体カイロ袋
【図１】
2007301338.tif 000003
【図２】
2007301338.tif 000004
【図３】
2007301338.tif 000005
【図４】
2007301338.tif 000006
【図５】
2007301338.tif 000007
【図６】
2007301338.tif 000008
【図７】
2007301338.tif 000009
【図８】
2007301338.tif 000010
【図９】
2007301338.tif 000011
【図１０】
2007301338.tif 000012
(57)【要約】      （修正有）【課題】  テープ式バンソウコウの使用時における使い易さを改善した容器収納式バンソウコウを提供する。【解決手段】  従来のテープ式バンソウコウの巻き方と反対に、テープ状のバンソウコウの接着面（５）を表側に、非接着面（６）を裏側にして円形に巻き込んだ、逆まきバンソウコウ（２）を容器（１）の軸心（３）にセットしたこと特徴とする、容器収納式バンソウコウ。【選択図】図１
2007301336.tif 000002
【特許請求の範囲】
【請求項１】
接着面（５）を裏側に、非接着面（６）を表側に円形にして巻かれた、従来のテープ式バンソウコウ（９）とは逆に、接着面（５）を表側に、非接着面（６）を裏側にして、円形に巻き込む、逆まきバンソウコウ（２）をつくり、これを例えば、透明なプラスティック容器（１）の軸心（３）にセットすることを特徴とする、容器収納式バンソウコウ。
【発明の詳細な説明】
【技術分野】
【０００１】  本発明は、容器収納式バンソウコウに関するものである。
【背景技術】
【０００２】  従来、接着面（５）を裏側に、非接着面（６）を表側にして円形に巻き込まれたテープ式バンソウコウ（９）があった。
【発明の開示】
【発明が解決しようとする課題】
【０００３】  そのために、次のような問題点があった。
（イ）接着面（５）を裏側に、非接着面（６）を表側にして円形に巻き込まれている、従来のテープ式バンソウコウ（９）を使用する時に、この互いに密着しているバンソウコウの端をつまんで引き剥がすのは困難であった。
（ロ）接着面（５）を裏側に、非接着面（６）を表側にして巻き込まれている、従来のテープ式バンソウコウ（９）の端をつまんで引き出すときに、指などがバンソウコウ全体に直接触れており、これを傷口などに貼り付けるのは衛生上きわめてこのましくなかった。
本発明は、これらの問題点を解決するためになされたものである。
【問題を解決するための手段】
【０００４】  （イ）接着面（５）が裏側に、非接着面（６）が表側に、巻き込まれている、従来のテープ式バンソウコウ（９）の、巻き方を変更し、テープ状のバンソウコウの接着面（５）を表側に、非接着面（６）を裏側にして、円形に巻き込み、逆まきバンソウコウ（２）をつくる。
（ロ）接着面（５）を表側に、非接着面（６）を裏側にして、円形に巻き込まれた、逆まきバンソウコウ（２）を容器（１）の軸心（３）にセットする。
以上を特徴とする、容器収納式バンソウコウである。
【発明の効果】
【０００５】  （イ）逆まきバンソウコウ（２）は、接着面（５）を表側に非接着面（６）を裏側にして巻き込まれているので、バンソウコウの先端が、目的の場所に接着すると、バンソウコウ押さえ（４）で、バンソウコウを軽く押さえて、容器（１）を手前に引くと、バンソウコウは出口（８）から引き出されて、必要な長さで、バンソウコウを必要な場所に貼り付けられる。
（ロ）逆まきバンソウコウ（２）を容器（１）の軸心（３）にセットし、ふた（７）をすれば、指がバンソウコウに触れることなく、衛生的に目的の場所にバンソウコウを貼り付けることが出来る。
（ハ）「図４」は逆まきバンソウコウ（２）を目的の場所に、バンソウコウ押さえ（４）で軽く押しているところであり、「図５」は容器（１）を右側に引き、逆まきバンソウコウ（２）が必要な量だけ伸びだして、目的の場所に効果的に貼り付いていることを示している。
【発明を実施するための最良の形態】
【０００６】  以下、本発明の実施の形態について説明する。
（イ）従来のテープ式バンソウコウ（９）の巻き方と反対に、テープの接着面（５）を表側に、非接着面（６）を裏側にして、円形に巻き込み、逆まきバンソウコウ（２）を作る。
（ロ）このようにして巻かれている、逆まきバンソウコウ（２）を、容器（１）の軸心（３）にセットし、ふた（７）をする。
本発明は、以上のような構成で、これを使用するときは、容器（１）にセットされ、容器（１）の出口（８）から少し出ている逆まきバンソウコウ（２）の先端をバンソウコウ押さえ（４）で軽く押さえて、目的の場所の一部に当て、手前に引けば、逆まきバンソウコウ（２）の一部がすでに、目的の場所の一部に貼り付いているので、逆まきバンソウコウは必要なだけ容器（１）から簡単に引き出され、目的の場所に貼り付き、必要な長さで目的の場所に、逆まきバンソウコウ（２）が貼りつき、容器（１）の出口（８）から伸びだしている、逆まきバンソウコウ（２）をナイフや、はさみで切れば、逆まきバンソウコウ（２）に手が触れることなく、バンソウコウを貼り付けられるので、きわめて清潔に、そして簡単にバンソウコウを目的の場所に貼り付けられる。
【実施例】
【実施例１】  本発明は、文房具のセロファンテープにも、逆まきセロファンテープおよび同じ構造を有する容器を作製することにより、応用できる。
【図面の簡単な説明】
【０００７】
【図１】  本発明の斜視図
【図２】  本発明の逆まきバンソウコウの斜視図
【図３】  従来のテープ式バンソウコウ
【図４】  本発明の使用図（１）
【図５】  本発明の使用図（２）
【符号の説明】
【０００８】  １  容器
２  逆まきバンソウコウ
３  軸心
４  バンソウコウ押さえ
５  接着面
６  非接着面
７  ふた
８  出口
９  従来のテープ式バンソウコウ
【図１】
2007301336.tif 000003
【図２】
2007301336.tif 000004
【図３】
2007301336.tif 000005
【図４】
2007301336.tif 000006
【図５】
2007301336.tif 000007
(57)【要約】【課題】  今まで大量に出来なかったフライパンを振る手動操作を、モーター回転で回転盤の軸と連結して、自動的に掻き回すようにする。【解決手段】  フライパンの奥に取り付けた金具をレールに取り付けた穴に吊り下げてフライパンの柄のレールにリングでセットしアームのレールに取り付けた穴とワイヤーでモーターの回転盤と連結することで自動的にフライパンを振る操作をする炒め電動フライパンである。【選択図】図１
2007301337.tif 000002
【特許請求の範囲】
【請求項１】
レンジに固定するアームを設ける。フライパンの柄を手前として奥の重心の位置に凸部の金具を取り付ける。その金具をアーム内のレールの凹部の穴に噛み合せ、取り付け、取り外せるようにする。
【請求項２】
レンジに固定する枠の手前のフライパンの柄の位置に円形状の２本のレールを設け、フライパンの柄に取り付けたリングをスライドさせる。
【請求項３】
モーター回転で回転盤の軸とアーム内のレールの凹部の穴に管の中のワイヤーで連結してフライパンを振る操作をする装置。
【発明の詳細な説明】
【技術分野】
【０００１】  特願２００５−１０６７２３  特願２００５−２０２２２５  特願２００６−９２２６９を改良出願し直すものです。本発明は炒め物を作る時に中の材料を掻き回すフライパンの装置である。
【背景技術】
【０００２】  従来、各職種において掻き回す道具は数多くあったが、フライパンは、油汚れ、高温と悪条件が重なり常に手入れの必要なもので、掻き回す装置があると却って邪魔になることがあった。そのため改良されず現在も手で振る操作で炒め物をしていた。
【発明の開示】
【発明が解決しようとする課題】
【０００３】  フライパンを振るということは、フライパンの重さと中の材料の重さとで、焼きそば、スパゲッティーなどはフライパンでは大量に作れなかった。この掻き回し操作を、アーム上のレールにスライドさせてフライパンを振ることで解決しようとするものである。
【課題を解決するための手段】
【０００４】  図１のようにレンジ等に固定する枠３に取り付けたアーム１内の凹部２が円形状のレールをスライドするようにする。【０００５】  図２のようにフライパンの柄を手前として奥の重心の位置に凸部の金具４を設ける。金具は先の方が曲がっていて鍵のように凹部の穴に噛み合せ、フライパンを吊るすように取り付け、取り外せるようにする。【０００６】  枠３の手前の部分には円形状のレールの働きをする二本の棒を設ける。その円形状の二本の棒のレールにフライパンの柄の二つのリングを入れてフライパンにセットする。【０００７】  フライパンの凸部の金具４を凹部の穴２に取り付けて、レール５と６にリング７と８を入れて管の中のワイヤー９で凹部の穴２をモーター１０で回転盤１１の軸１２と連結して上下に動くようにする。
【発明の効果】
【０００８】  本発明により、今までフライパンとフライパンの中の材料の重さが人の腕にかかっていたが、フライパンを吊るすように取り付け、取り外せることで、今までの手動作のようなフライパン操作を、モーターで自動的に出来るので便利である。
【発明を実施するための最良の形態】
【０００９】  アーム１内は、カバーで移動する部分凹部２のレールの働きをする。そのレール上に移動する部分凹部２は、心棒に回転輪を設けフライパンが移動し易くする。穴２はベアリングの中央にある。レール５と６の奥にバネを取り付ける。【００１０】  フライパンの奥に取り付けた金具をレールに取り付けた穴に吊り下げてフライパンの柄のレールにリングでセットする。そのレールに取り付けた穴とワイヤーでモーターの回転盤と連結することで自動的にフライパンを振る操作をする。
【産業上の利用可能性】
【００１１】  今まで大量に出来なかった手動操作を、モーターにより自動的にフライパンを振る操作をするので容易である。
【図面の簡単な説明】
【００１２】
【図１】  レンジに固定アームの斜視図である。
【図２】  フライパンの斜視図である。
【符号の説明】
【００１３】  １      円形状のレールを取り付けたアーム
２      レールに取り付けた穴
３      レンジ等に固定する枠
４      鍵状の凸部の金具
５      レール
６      レール
７      リング
８      リング
９      管の中のワイヤー
１０      モーター
１１      回転盤
１２      軸
１３      ハジキバネ
１４      スイッチ
１５      レンジ
【図１】
2007301337.tif 000003
【図２】
2007301337.tif 000004
(57)【要約】      （修正有）【課題】カッターナイフと鉛筆の持ち替え動作をなくし、作業の効率を上げたカッターナイフを提供する。【解決手段】カッターナイフにシャープペンシルを組み込む。【選択図】図１
2007301309.tif 000002
【特許請求の範囲】
【請求項１】
カッターナイフにおいてグリップ部に筆記用のペンシルを組み込んだペンシル付きカッターナイフ
【発明の詳細な説明】
【技術分野】
【０００１】本発明はカッターナイフと描画用のペンシルを融合する事により、建築作業時のボード等カット作業時の両者の持ち変えを不要にしたものである
【背景技術】
【０００２】従来はＬ型カッターナイフ握り部分に筆記用具としての機能を持たせたものは無かった。
【発明の開示】
【発明が解決しようとする課題】
【０００３】ボード張工法等建築作業等では鉛筆で寸法を記印する作業とカッターで切る作業が頻繁に行われるが、その持ち替えの動作をなくすることにより作業をスピードアップしたい
【課題を解決するための手段】
【０００４】カッターナイフに筆記用具を組み込む
【発明の効果】
【０００５】上下を反転させる動作だけで済むので両者持ち変え作業が単純になった
【発明を実施するための最良の形態】
【０００６】以下，本発明の実施の形態について説明する
（イ）．カッターナイフグリップ後部にシャープペンシル取り付け部分を確保する
（ロ）．（イ）部分にシャープペンシルを組み込む【０００７】他の実施形態について説明する
（イ）．カッターナイフ後部に鉛筆取り付け部分を確保する
（ロ）．（イ）部分に鉛筆が適度な負荷で固定できるチューブを組み込む
（ハ）．（ロ）のチューブに鉛筆を差し込む
【実施例】
【０００８】試作として市販されているカッターナイフの後部プラスチック製握り部分にシャープペンシルの幅の溝を作り、その溝にシャープペンシルを納め、エポキシパテで埋め込む
【産業上の利用可能性】
【０００９】発明品の一体形成品を建築用品として利用可能
同、事務用品として利用可能
同、工作用具として利用可能
アウトドア用品として利用可能
【図面の簡単な説明】
【００１０】
【図１】当発明を示したダイヤルロック式「ペンシル付きカッターナイフ」の概略図である
【図２】当発明を示した自動ロック式「ペンシル付きカッターナイフ」の概略図である
【符号の説明】
【００１１】１  発明の「ペンシル付きカッターナイフ」本体
２  シャープペンシル部分
３  シャープペンシル芯繰り出し用ノック部分
４  シャープペンシル先端部分
５  カッター刃固定用ダイヤル
６  カッター刃繰り出し固定用スライダ
【図１】
2007301309.tif 000003
【図２】
2007301309.tif 000004
(57)【要約】【課題】  従来のＩＣチップ認証付名札保持用クリップ付リールは、紐体が巻き取られた状態でリー［ル本体外周に設けられた紐体の出入り穴部と、名札保持用の紐体端末に固着した端末具の接合面に、接合面同士の回転の規制が無く、名札の表面を安定して前方に向けて使用できない。【解決手段】  リール本体１と、名札保持用の端末具２の相対する接合面４，５に、紐体引き出し方向を中心とした回転方向への回転を規制する機構を設けて構成した。これにより使用者は安定して名札の表面を前方に向けて使用できる利便性がある。【選択図】図１
2007301308.tif 000002
【特許請求の範囲】
【請求項１】
紐体を介して携帯物品が繰り出される巻取り可能なリール本体に、リール本体外側部に設けられた紐体の出入り穴部と紐体の引き出し側端末に固着された端末具とのとが接合する双方の端部を、紐体引き出し方向軸に対し回転方向の自由な動きを規制する接合面構成としたクリップ付リール。
【請求項２】
紐体を介して携帯物品が繰り出される巻取り可能なリール本体に、リール本体外側部に設けられた紐体の出入り穴部と紐体の引き出し側端末に固着された端末具とのとが接合する双方の端部各々に、Ｎ極、Ｓ極、二極構成永久磁石を固着したクリップ付リール
【発明の詳細な説明】
【発明の分野】
【０００１】  本発明はＩＣ認証付き名札の取り扱い易さの向上を図ったクリップ付きリールに関する。
【発明の開示】
【発明が解決しようとする課題】
【０００２】  従来のＩＣチップ認証付名札保持用クリップ付リールは、紐体が巻き取られた状態でリール本体外周に設けられた紐体の出入り穴部と、名札保持用の紐体端末に固着した端末具との接合面に、接合面同士の回転規制が無く、名札の表面を安定して前方に向けて使用できないものであった。【０００３】  本発明は、このような従来の有していた問題を解決しようとするものであり、名札が安定して前方に向くように効果的に回転規制を設け、取り扱い易さの向上を図った。
【課題解決のための手段】
【０００４】  紐体を介して携帯物品が繰り出される巻取り可能なリール本体に、リール本体外側部に設けられた紐体の出入り穴部と紐体の引き出し側端末に固着された端末具とのとが接合する双方の端部を、紐体引き出し方向に対し回転方向の自由な動きを規制する接合面構成としたクリップ付リール。
【０００５】  又第二の解決手段は、紐体を介して携帯物品が繰り出される巻取り可能なリール本体に、リール本体外側部に設けられた紐体の出入り穴部と紐体の引き出し側端末に固着された端末具とのとが接合する双方の端部に、永久磁石を固着したクリップ付リール
【０００６】  上記第一の解決手段による作用は次の通りである。すなわちＩＣチップ認証付名札をクリップ付きリールの端末具に取り付け、クリップで衣服類に係着し使用している。従来のクリップ付きリールには端末具の回転を規制する構成は無く装着時に名札が回転しまう。接合面をＬ字形の突起の構成にすることにより、紐体の引き出し側端末に固着された端末具の接触面にはリールの巻き取りバネの引っ張り力が加わり、名札の回転を防止することが出来る。
【０００７】  又第二の解決手段での作用は、紐体を介して携帯物品が繰り出される巻取り可能なリール本体に、リール本体外側部に設けられた紐体の出入り穴部と紐体の引き出し側端末に固着された端末具とのとが接合する双方の端部に、Ｎ極、Ｓ極、永久磁石を固着したことにより、磁石間の吸引力により名札の自由な回転を防止出来る。
【発明の効果】
【０００８】  上述のように本発明のクリップ付きリールは衣服等に係着使用時に端末具に取り付けられた名札の自由な回転が防止でき取り扱い易さの向上が提供できる。
【発明の実施するための最良の形態】
【０００９】  以下本発明の実施形態を図１〜図２に基づいて説明する。
【００１０】  図においては、１はリール本体で内部に紐体３を巻き取るバネを有している。紐体の引き出し側の端末には端末具２が固着されている。リール本体には衣服等への係着ようのクリップ６が固着されている。リール本体の外周部には紐体の出入り穴を有した接合部分５が、端末具の接合部分４と相対するように構成されている。
【００１１】  ここで接合部分４および５はその相対する面がＬ字形の突起で構成されている。
【００１２】  以下、上記構成の動作を説明する。リール本体の外周部の紐体の出入り口を有した接合部分５と、紐体先端に固着された端末具の接合部分４は、相似形のＬ字形の突起部を有している。紐体が巻き取られた状態では相互のＬ字形突起部が噛合い、ここにリール本体内蔵の巻き取りバネ力が加わり、端末具の回転方向の自由な動きを防止することが出来る。
【００１３】  また、接合面各々に、Ｎ極、Ｓ極の二極構成永久磁石７，８、を固着した構成は、相対する磁石の異なる極性間で発生する磁気吸引力により、端末具の自由な回転が防止できる。
【図面の簡単な説明】
【００１４】
【図１】本発明の実施状態Ｌ字形接合構成のクリップ付きリールを示す外観図
【図２】本発明の実施状態永久磁石接合構成のクリップ付きリールを示す外観図
【符号の説明】
【００１５】      １  リール本体
２  端末具
３  紐体
４  端末具側接合部
５  リール本体側接合部
６  クリップ
７  ８  永久磁石
【図１】
2007301308.tif 000003
【図２】
2007301308.tif 000004
(57)【要約】【課題】コタツの上にたくさんの機器を直接置くとコタツ布団を交換したりかけたり片付ける時にコタツ上のすべての機器を片付けなければならなかった。【解決手段】コタツの上にパソコンやＡＶ機器を直接置かないことで、コタツ布団の片付けなどがしやすくなった。【選択図】図３
2007301307.tif 000002
【特許請求の範囲】
【請求項１】
パソコンなどを収納出来るラックの下部にユーティリティー・スペースが有り、たとえばコタツを半分収納して、コタツの上に直接パソコンなどを置くよりもコタツ布団の交換がしやすく、コタツで温まりながらパソコンなどの操作が出来る事を特徴とする家具。
たとえばコタツをキーボードなどの置き台として兼用できるので、大変便利である。
【発明の詳細な説明】
【技術分野】
【０００１】  この発明は、パソコンやオーディオ・ビデオ機器などを収納して、ラック下部のユーティリティー・スペースにコタツを作業台として使えるようにコタツを半分収納して使えるラックに関するものである。
【背景技術】
【０００２】  従来、コタツの上に直接パソコンなどを置くと、コタツ布団を片付けたりかけたりする時に、コタツの上に置いてあるパソコンなどをどけなければならなかった。
又コタツに上にパソコンやオーディオ・ビデオ機器などを多数重ねて置くことが出来なかった。
【発明の開示】
【発明が解決しようとする課題】
【０００３】  しかしながら、以上の技術によれば、パソコンやＡＶ機器をコタツで温まりながら機器をたくさん収納して使うことが出来る。
【課題を解決するための手段】
【０００４】  以上の課題を解決するために、コタツ布団の交換がしやすく、コタツで温まりながらパソコンを操作することを特徴とする家具である。
【発明の効果】
【０００５】  ラックにコタツを半分収納することで部屋を広く使える。冬に温まりながらパソコンを操作できる。コタツの上に直接置くのはキーボードやマウスだけなので、コタツ布団を片付ける時に楽である。来客時にコタツの上のキーボードなどを片付けて、コタツを引き出せばコタツを普通に使うことがたやすく出来る。
【発明を実施するための最良の形態】
【０００６】  この発明の一実施形態を、図２に示す。
ラック本体の下にコタツ布団を引いたコタツが収納できる空間がある。【０００７】  この実施形態によれば、ラックの下に半分収納したコタツを簡単に引き出して使える。収納したコタツの上のラックにパソコンやＡＶ機器をたくさん収納できる。
【図面の簡単な説明】
【０００８】
【図１】この発明の本体である
【図２】本発明の使用状態を示す正面図である。
【図３】本発明の一実施形態を示す斜視図である。
【符号の説明】
【０００９】１  ラック縦板
２  ラック天板
３  ラック可動棚
４  ラック底版
５  電気コタツ
６  キーボードやマウス
７  パソコンモニター
８  ＡＶ機器など
９  パソコン本体
１０  コンセント
１１  キャスター
【図１】
2007301307.tif 000003
【図２】
2007301307.tif 000004
【図３】
2007301307.tif 000005
(57)【要約】【課題】一般家庭に於いて煮炊きを行う場合手軽に使用出来て煮こぼれしない器具が求められているが従来の方法では不十分と思われるので本発明の器具を提供する。【解決手段】ステンレススチールを材料として内部が空洞の半球形状の網を構成し，底部にＵ字型の輪を嵌入し，網の頭部に湯が沸騰した時に網が持ち上がらないように錘，，兼，取っ手を形成し，釜による煮炊きに本発明を使用する時は釜の湯が沸騰寸前に中に落とし蓋の如く入れる事によって気泡を細分化させる事が出来る。湯が沸騰してくると澱粉質の物の場合は特に気泡が生じ易く蓋の内部に細分化されながら蓄積されるが外部に噴き出す事は無いのである。【選択図】図１
2007301322.tif 000002
【特許請求の範囲】
【請求項１】
内部が空洞の半球形状の網の底部にＵ字型の円輪を嵌入して補強し網の頭部に錘を兼ねた取っ手を構成した鍋の蓋。
【発明の詳細な説明】
【技術分野】
【０００１】本発明は，鍋によって煮炊をする場合の噴きこぼれを防止する蓋である。
【背景技術】
【０００２】
【特許文献１】特開２００５−１０２６６６
【発明の開示】
【発明が解決しようとする課題】
【０００３】一般家庭に於いて煮炊きを行う場合，手軽に使用出来て煮こぼれしない器具が求められているが従来の方法においてはこの点に関して充分とは言へないので，この点を解決する為になされたものである。
【課題を解決するための手段】
【０００４】鍋によって主として澱粉質の材料の煮炊きを行う場合は特に水泡が発生して湯面が膨張し煮こぼれが生じるのであるが，上記の課題を解決する為に，噴きこぼれ防止に適当な金属としてのステンレススチールを材料として内部が空洞の半球形状の網を構成しその底部にＵ字型の輪を嵌入して補強し網の頭部に錘を兼ねた取っ手を構成した極めて簡単な構造の噴きこぼれ防止蓋を提供するものである。
【発明の効果】
【０００５】本発明は鍋にたいして落とし蓋の形式で鍋の中に入れて利用するため鍋の形状に関係無く使用する事が可能である。又鍋の沸騰寸前に蓋を湯の中に入れる事は従来行われているスプーンを投入して発生しつつある水泡を分散させる方式と同様の作用を利用すると共に，沸騰し膨張した湯の水泡が網目によって細分化され更に頭部にある錘によって細分化されながら蓋の内部に蓄積される。又，形状が極めて簡単であるため取り扱いが容易である。
【発明を実施するための最良の形態】
【０００６】本発明を実施するためには，水泡の細分化に有効の金属とされるステンレススチールを材料とする網を内部が空洞の半球形状に構成し，底部にＵ字型の輪を嵌入し，網の頭部に湯が沸騰した時に蓋が持ち上がらないように錘，兼，取っ手を形成する。本発明は以上の構成からなるので，釜による煮炊きに本発明を使用するときは釜の湯が沸騰寸前に中に落とし蓋の如く入れる事によって水泡を細分化させる事が出来る。又湯が沸騰してくると澱粉質の物は特に水泡となって蓋の内部で細分化されながら蓄積されるが外部に噴き出す事はないのである。
【図面の簡単な説明】
【０００７】
【図１】  本発明の実施例を示す斜視図
【図２】  本発明の側面図
【符号の説明】
【０００８】  （１）  網
（２）  錘，取っ手
（３）  補強輪
（４）  鍋
【図１】
2007301322.tif 000003
【図２】
2007301322.tif 000004
(57)【要約】      （修正有）【課題】抜差式屋外用テニス支柱、バレーボール支柱、サッカーゴール、ラグビーゴール、アメリカンフットボール、防球ネット等では設置後長時間経過すると砂や小石が流れ込み、必要な時、抜けなくなるトラブルが多発しており、この問題を解消する。【解決手段】埋設管５上端に雌テーパーを設け、支柱１の地際の所要部には雌テーパーと嵌合すべく、雄テーパーを設ける。支柱１の下部における支柱１と埋設管５とのクリアランスは抜き差し出来る範囲で小さくする。【選択図】図１
2007301325.tif 000002
【特許請求の範囲】
【請求項１】
埋設管と支柱の構成方法であって、埋設管の上端に雌テーパーを設け、嵌合する雄テーパーを有するストッパーを支柱の所要位置に設けると共に、支柱下部と埋設管の当該部分とのクリアランスを支柱が抜き差し可能な範囲で小さく設定した事を特長とする構成。
【請求項２】
テーパー角度を２０〜４０°の範囲内に設定した事を特長とする支柱と埋設管。
【発明の詳細な説明】
【技術分野】
【０００１】本発明は抜差式の屋外用テニス支柱、バレーボール支柱、サッカーゴール、ラグビーゴール、防球ネット其他、抜差式の支柱と埋設管に関して、埋設管上端に雌テーパーを設け支柱の所要の位置に設けた雄テーパーを嵌合させる。支柱下部と埋設管とのクリアランスを小さく設定して両テーパーのズレを防ぎ砂や小石の流入を防ぐ事により抜けないトラブルを解消する。
【背景技術】
【０００２】屋外用の支柱と埋設管より成る球技用支柱等は設置したままにする事により砂や小石が埋設管に流れ込み抜けなくなってしまうトラブルが続発している。
【発明の開示】
【発明が解決しようとしている課題】
【０００３】抜差式球技用支柱やゴール等はクリアランスを有する支柱と埋設管とにより構成されており上下方向の位置を決める支柱の位置決め部材の下面と埋設管の上面は支柱及び埋設管に直角に設けられているがボルトで締結する方式を除き防砂を念頭に設計されていない。従って支柱の上部に横方向に力が加わるとクリアランスがある為支柱が傾いたり浮き上がったりし、この部分から砂や小石が入り込み固く締まったり、楔の喰い込み状態になり抜けなくなる。
【課題を解決する為の手段】
【０００４】埋設管上端に雌テーパーを設け支柱には嵌合する雄テーパーを支持面とする位置決め部材を設ける。支柱の下部と埋設管の当該部とのクリアランスは抜き差しできる範囲で小さく取る。テーパー角度が小さくなると下方への押付け力に対するテーパー面での面圧が大きくなり密着力と保持力が増すことは既知の原理である。更に埋設管下部のクリアランスを出来る限り最小とすることにより支柱上部に横からの大きな力が加わった場合でもテーパー部の所要の密着力と保持力の確保が可能となる。
【発明の効果】
【０００５】抜差式の支柱はグランドを多目的に使用したり新品に取り替えたりする場合抜き取る必要がある。必要に応じて抜けないと重大な支障が発生する。本発明はこのトラブルを解消する事が出来る。
【発明を実施する為の最良の形態】
【実施例１】
【０００６】埋設管５の上部に雌テーパー６を設ける。支柱１には雄テーパー４を有する位置決め部材３を所要の位置に設ける。支柱下部２と埋設管支柱下部当該部７とのクリアランスは抜き差し出来る範囲で小さく設定する。テーパー角度θは小さすぎると抜けなくなり、大き過ぎると支柱１の上部に強い横からの力が加わた場合抜け上がってしまうので適切に選定する。その角度は摩擦係数、材質、保持力を考慮すると２０°〜４０°の範囲が最適である。
【実施例２】
【００７】テーパーの代わりに球面を使用する例も本発明の例である、即ち本発明は支持面にテーパーを採用することにより接触面における面圧と保持力が増大し、接触面に隙間が生ずることを防ぐ事が出来るものであるが、テーパーの代わりに接触面における接線が作る円錐角が小さい球面を採用する事によっても実現出来る。管と支柱とのクリアランス等による支柱の傾きを考えると理論的には球面の方が理想的である。しかし、製作の容易さはテーパーが数段上である。
【図面の簡単な説明】
【０００８】
【図１】    本発明の支柱、埋設管設置例断面図である。
【図２】    支柱の断面図である。
【図３】    埋設管の断面図である
【符号の説明】
【０００９】１．  支柱                      ７．  埋設管支柱下部当該部
２．  支柱下部                  ８．  基礎コンクリート
３．  位置決め部材              θ    テーパー角度
４．  雄テーパー
５．  埋設管
６．  雌テーパー
【図１】
2007301325.tif 000003
【図２】
2007301325.tif 000004
【図３】
2007301325.tif 000005